(57)【要約】【課題】この発明の課題は、動画像の圧縮伸張処理を専用のハードウェアで行いながら、従来の静止画像撮像機能のみを有するデジタルカメラと同等の処理速度と携帯性を実現する画像処理装置を提供することにある。【解決手段】表示装置部３への信号を分岐して動画像の撮像に利用することで、部品点数の増加を抑制し、高速な処理およびデータ転送を実現する。さらに、動画像処理に係る外部圧縮伸張処理部６と、撮像部２からの信号をセレクタに９により選択処理することで、処理に係る負荷の増大を抑えながら、動画像の再生をも実現する。【選択図】        図１
2004282444.tif 000002
【特許請求の範囲】
【請求項１】
入力した画像データを処理する画像処理装置であって、
所望の対象物を撮像する撮像手段と、
圧縮された画像データ（以下、圧縮画像データとする。）を記憶する記憶手段と、
前記記憶手段から読み込んだ前記圧縮画像データに伸張処理を行う伸張処理手段と、
前記撮像手段より入力された画像データ（以下、撮影データとする。）と、前記伸張処理手段から入力された伸張後の画像データ（以下、伸張画像データとする。）を入力し、いずれか一方のデータを選択的に出力する選択手段と、
前記選択手段から入力された前記データに所定の処理を行う主処理手段と、
を備えることを特徴とする画像処理装置。
【請求項２】
請求項１に記載の画像処理装置において、
前記主処理手段は、前記画像処理装置の全体制御を行うＣＰＵを含むマイクロコンピュータチップであり、前記伸張処理手段は、前記主処理手段に接続された前記マイクロコンピュータチップとは別の専用チップに備えられることを特徴とする画像処理装置。
【請求項３】
請求項１または請求項２に記載の画像処理装置において、さらに、
前記伸張処理手段と前記記憶手段との間のデータ転送を、前記主処理手段のＣＰＵを介することなくＤＭＡ転送する外部ＤＭＡ転送手段、
を備え、
前記外部ＤＭＡ転送手段は、前記記憶手段に格納されている圧縮画像データを、前記伸張処理手段に転送することを特徴とする画像処理装置。
【請求項４】
請求項１ないし請求項３のいずれかに記載の画像処理装置において、
前記伸張処理手段は、
前記撮影データと等価な前記伸張画像データを生成する手段、
を備えることを特徴とする画像処理装置。
【請求項５】
入力した画像データを処理する画像処理装置であって、
入力した画像データ（以下、原画像データとする。）を記憶する記憶手段と、
前記記憶手段から読み込んだ前記原画像データに所定の処理を行う主処理手段と、
前記主処理手段に接続され、当該主処理手段から入力された画像データに圧縮処理を行う圧縮処理手段、
を備え、
前記主処理手段は、
前記記憶手段から読み込んだ前記原画像データに対してモニタ表示用処理を施す表示処理手段と、
前記表示処理手段の出力データを分岐し、その一方をモニタ表示用データとするとともに、他方の出力データを前記圧縮処理手段に対して出力する手段と、
を備えることを特徴とする画像処理装置。
【請求項６】
請求項５に記載の画像処理装置において、
前記主処理手段は、前記画像処理装置の全体制御を行うＣＰＵを含むマイクロコンピュータチップであり、前記圧縮処理手段は、前記主処理手段に接続された前記マイクロコンピュータチップとは別の専用チップに備えられることを特徴とする画像処理装置。
【請求項７】
請求項５または請求項６に記載の画像処理装置において、さらに、
前記伸張処理手段と前記記憶手段との間のデータ転送を、前記主処理手段のＣＰＵを介することなくＤＭＡ転送する外部ＤＭＡ転送手段、
を備え、
前記外部ＤＭＡ転送手段は、前記圧縮処理手段において圧縮された画像データを前記記憶手段に転送することを特徴とする画像処理装置。
【発明の詳細な説明】
【０００１】
【発明の属する技術分野】
この発明は、画像データの圧縮伸張を行う圧縮伸張処理部を、画像処理部の外部に備える画像処理装置に関する。
【０００２】
【従来の技術】
本発明である画像処理装置は、デジタルカメラなどの撮像装置を構成する一の装置として利用するものである。近年のデジタルカメラは、静止画像の撮像機能に加えて、ＭＰＥＧ４（Ｍｏｔｉｏｎ  Ｐｉｃｕｔｕｒｅ  Ｃｏｄｉｎｇ  Ｅｘｐｅｒｔｓ  Ｇｒｏｕｐ  ４）などの形式で動画像を撮像し記録することのできる、動画像撮像機能を持つものが多い。
【０００３】
撮像した動画像をテレビ装置に出力したときに、当該動画像が違和感なく滑らかに再生されるためには、解像度６４０×４８０ピクセルのＶＧＡサイズ相当の静止画像を、毎秒３０フレームのフレームレートを持つ動画像として記録するという条件が目安となる。そして、近年のデジタルカメラにも、これを実現する撮像機能を備えることが要求されている。
【０００４】
このような動画像の撮像機能を実現する方法としては、従来のハードウェアを利用し専用のソフトウェアプログラムを追加して処理する方法と、専用のハードウェアを追加して処理する方法との２つがある。
【０００５】
しかし、動画像を構成する各フレームが、ＹＵＶ４２２フォーマットのフルカラー上方の場合、１秒間に処理するフレームは３０フレームであるから、データ量は約１８Ｍバイトにも達する。この様な大量のデータ処理を、静止画像処理用のハードウェアしか持たないデジタルカメラで、ソフトウェアプログラムによる処理のみで実現することは、非常に困難である。
【０００６】
そこで、専用のハードウェアを追加し、動画像の圧縮伸張に係る処理を行わせる方法を利用することが多い。この方法によれば、高速なＣＰＵおよび処理ユニットを持つ専用のハードウェアを利用することで、動画像処理に必要な処理性能を実現することができる。
【０００７】
しかし、動画像の撮像は、デジタルカメラの撮像部を利用して行うため、動画像処理の高速化だけではなく、デジタルカメラの内部において、撮像部を含む従来のハードウェアと、動画像処理のために追加した専用のハードウェアとの間で、高速なデータ転送を実現することが必要となる。そして、これを実現するための様々な方法が提案されている。
【０００８】
例えば、図３の如く、従来のハードウェア４，５と、追加したハードウェア６との間に、専用のＤＭＡバスを追加してデータ転送を行う方法がある。この方法では、撮像して、主メモリ５の原画像データバッファ領域１８に記憶した原画像データを、外部ＤＭＡ制御ユニットＡ２４により、外部圧縮伸張処理部６にＤＭＡ転送して動画像生成に係る処理を行い、生成した動画像データは、外部ＤＭＡ制御ユニットＢ２５により、主メモリ５上の圧縮画像データバッファ１９に転送される。
【０００９】
また、図４の如く、従来のハードウェア４，５と追加したハードウェア６との間に、デュアルポートの共有メモリ２７を追加して、データ転送を行う方法もある。この方法では、撮像して、主メモリ５の原画像データバッファ領域１８に記憶した原画像データを、ＣＰＵ２６が、デュアルポートメモリ２７を利用して、外部圧縮伸張処理部６に転送して動画像生成に係る処理を行い、生成した動画像データは、同様にデュアルポートメモリ２７を利用して、主メモリ５上の圧縮画像データバッファ１９に転送される。
【００１０】
【発明が解決しようとする課題】
しかし、図３を用いて上述した方法でも、圧縮処理を施す前の原画像データを主メモリ５から外部圧縮伸張処理部６へ転送する際には、利用するＤＭＡバス帯域が非常に大きくなり、これがボトルネックとなって、装置全体の処理速度が低下するという問題があった。
【００１１】
また、図４を用いて上述した方法の場合、部品点数の増加や基板面積の増大が、デジタルカメラの携帯性を損なわせる原因となっていた。また、消費電力や製造コストの増大などの、悪影響も伴っていた。
【００１２】
そこで、この発明の課題は、動画像の圧縮伸張処理を専用のハードウェアで行いながら、従来の静止画像撮像機能のみを有するデジタルカメラと、同等の処理速度と携帯性を実現する画像処理装置を提供することにある。
【００１３】
【課題を解決するための手段】
上記課題を解決すべく、請求項１に記載の発明は、入力した画像データを処理する画像処理装置であって、所望の対象物を撮像する撮像手段と、圧縮された画像データ（以下、圧縮画像データとする。）を記憶する記憶手段と、前記記憶手段から読み込んだ前記圧縮画像データに伸張処理を行う伸張処理手段と、前記撮像手段より入力された画像データ（以下、撮影データとする。）と、前記伸張処理手段から入力された伸張後の画像データ（以下、伸張画像データとする。）を入力し、いずれか一方のデータを選択的に出力する選択手段と、前記選択手段から入力された前記データに所定の処理を行う主処理手段と、を備えることを特徴とするものである。
【００１４】
請求項２に記載の発明は、請求項１に記載の画像処理装置において、前記主処理手段は、前記画像処理装置の全体制御を行うＣＰＵを含むマイクロコンピュータチップであり、前記伸張処理手段は、前記主処理手段に接続された前記マイクロコンピュータチップとは別の専用チップに備えられることを特徴とするものである。
【００１５】
請求項３に記載の発明は、請求項１または請求項２に記載の画像処理装置において、さらに、前記伸張処理手段と前記記憶手段との間のデータ転送を、前記主処理手段のＣＰＵを介することなくＤＭＡ転送する外部ＤＭＡ転送手段、を備え、前記外部ＤＭＡ転送手段は、前記記憶手段に格納されている圧縮画像データを、前記伸張処理手段に転送することを特徴とするものである。
【００１６】
請求項４に記載の発明は、請求項１ないし請求項３のいずれかに記載の画像処理装置において、前記伸張処理手段は、前記撮影データと等価な前記伸張画像データを生成する手段、を備えることを特徴とするものである。
【００１７】
請求項５に記載の発明は、入力した画像データを処理する画像処理装置であって、入力した画像データ（以下、原画像データとする。）を記憶する記憶手段と、前記記憶手段から読み込んだ前記原画像データに所定の処理を行う主処理手段と、前記主処理手段に接続され、当該主処理手段から入力された画像データに圧縮処理を行う圧縮処理手段、を備え、前記主処理手段は、前記記憶手段から読み込んだ前記原画像データに対してモニタ表示用処理を施す表示処理手段と、前記表示処理手段の出力データを分岐し、その一方をモニタ表示用データとするとともに、他方の出力データを前記圧縮処理手段に対して出力する手段と、を備えることを特徴とするものである。
【００１８】
請求項６に記載の発明は、請求項５に記載の画像処理装置において、前記主処理手段は、前記画像処理装置の全体制御を行うＣＰＵを含むマイクロコンピュータチップであり、前記圧縮処理手段は、前記主処理手段に接続された前記マイクロコンピュータチップとは別の専用チップに備えられることを特徴とするものである。
【００１９】
請求項７に記載の発明は、請求項５または請求項６に記載の画像処理装置において、さらに、前記伸張処理手段と前記記憶手段との間のデータ転送を、前記主処理手段のＣＰＵを介することなくＤＭＡ転送する外部ＤＭＡ転送手段、を備え、前記外部ＤＭＡ転送手段は、前記圧縮処理手段において圧縮された画像データを前記記憶手段に転送することを特徴とするものである。
【００２０】
【発明の実施の形態】
＜デジタルカメラの構成＞
図１はこの発明の一の実施の形態に係るデジタルカメラの概略図である。デジタルカメラは、画像処理装置１と、当該画像処理装置１に接続された撮像部（撮像手段）２と表示装置部３とから構成され、静止画像および動画像を撮像する機能を有する。なお、本実施の形態では、画像処理装置１は、デジタルカメラに組み込まれ利用されるが、本発明はこれに限るものではない。
【００２１】
撮像部２は、所望の対象物を被写体としてとらえるためのレンズなどからなる光学系、ＣＣＤやＣＭＯＳセンサなどの撮像素子からなるセンサ部、センサ部が出力するアナログ信号に、ノイズ除去、信号増幅、Ａ／Ｄ変換などの信号処理を施す信号処理回路などを備えている。そして、光としてとらえた被写体に係る情報を、電気信号に変換し、画像信号として画像処理装置１に出力する機能を有する。
【００２２】
表示装置部３は、画像処理装置１から入力される信号を処理する信号処理部と、液晶などの表示装置などを備えている。そして、画像処理装置１から入力された信号を、表示装置上に画像として表示する機能を有し、撮像時に撮像部２が被写体としてとらえた対象物を表示し撮像対象を確認したり、記録した静止画像や動画像を読み出して表示するために利用する。
【００２３】
次に、本発明の実施の形態に係る画像処理装置１の構成について説明する。
【００２４】
＜画像処理装置の構成＞
画像処理装置１は、撮像部２から入力される画像信号を静止画像として処理する主処理部（主処理手段）４と、主処理部４がデータ処理を行うときに利用する主メモリ（記憶手段）５と、主処理部４を介して撮像部２から入力される画像信号を動画像として処理する外部圧縮伸張処理部６と、外部圧縮伸張処理部６がデータ処理を行うときに利用する作業用メモリ７と、撮像した静止画像および動画像を記録するための記憶装置であるメモリカード８と、から構成される。
【００２５】
主処理部４は、撮像部２および外部圧縮伸張処理部６に接続され、いずれか一方からの信号を選択受信するセレクタ（選択手段）９と、入力された画像信号にホワイトバランス調整などの信号処理を行うセンサプロセッシングユニット１０（以下ではＳＰＵ（Ｓｅｎｓｏｒ  Ｐｒｏｃｅｓｓｉｎｇ  Ｕｎｉｔ）と言う）と、補間処理、色空間の変換、偽色抑制などの信号処理を行うリアルタイムプロセッシングユニット１１（以下ではＲＰＵ（Ｒｅａｌ−ｔｉｍｅ  Ｐｒｏｃｅｓｓｉｎｇ  Ｕｎｉｔ）と言う）と、ＳＰＵ１０およびＲＰＵ１１で処理した信号を内部信号に変換する画像表示ユニット（表示処理手段）１２と、を備える。また、画像表示ユニット１２から出力する内部信号を、表示装置部３で表示するために、コンポジットビデオ信号に変換するテレビエンコードユニット１３と、さらに、これをアナログ信号に変換するＤ／Ａ変換ユニット１４と、を備える。また、主処理部４内部には、データ転送に利用するバス１５と、このバス１５を利用したデータのＤＭＡ転送を制御するＤＭＡ制御ユニット１６と、主処理部４の外部にある外部圧縮伸張処理部６とのＤＭＡ転送を制御する外部ＤＭＡ制御ユニット（外部ＤＭＡ転送手段）１７と、を備える。
【００２６】
なお、主処理部４は、画像処理装置１の全体制御を行うＣＰＵを含むマイクロコンピュータチップに含まれる。ただし、セレクタ９については、撮像部２および外部圧縮伸張処理部６と主処理部４との間に位置すれば、マイクロコンピュータチップの外部に設置される態様であっても構わない。外部ＤＭＡ制御ユニット１７についても同様に、主メモリ５と外部圧縮伸張処理部６との間に位置すれば、マイクロコンピュータチップの外部に設置される態様であっても構わない。また、本実施例は、動画像処理に係る実施例であるため、特に図示していないが、主処理部４は、各種の処理演算を行うためのＣＰＵ、画像信号を静止画像としてＪＰＥＧなどの所定の形式に変換するためのソフトウェアプログラムやハードウェア、およびソフトウェアプログラムを記憶する記憶装置などをも備えている。
【００２７】
主メモリ５は、主処理部４において、画像信号に各種の信号処理を行った結果を一時的に保存するための原画像データバッファ領域１８としての機能と、外部圧縮伸張処理部６により処理された圧縮画像データをメモリカード８との間で送受信するときに一時的に保存するための圧縮画像データバッファ領域１９としての機能を有する。また、その他、各種の処理過程で生じたデータを一時的に保存する目的でも利用される。なお、主メモリ５は、本実施例では画像処理部６とは別に設けられているが、この他、主処理部４に内蔵される態様であっても構わない。
【００２８】
外部圧縮伸張処理部６は、主処理部４を含むマイクロコンピュータチップとは別の専用チップとして存在し、主処理部４に接続されて、動画像処理に係る処理を行う。内部には、主処理部４から入力される内部信号を動画像としてＭＰＥＧ４などの所定の形式に変換処理するための圧縮処理ユニット（圧縮処理手段）２０と、圧縮データを伸張し、撮像部２が出力するのと等価な画像信号に変換処理するための伸張処理ユニット（伸張処理手段）２１と、主処理部４と圧縮データの送受信を行う圧縮データ入出力ユニット２２と、を備える。
【００２９】
作業用メモリ７は、外部圧縮伸張処理部６において、内部信号の圧縮伸張処理などの処理過程で生じたデータを、一時記憶データバッファ領域２３に一時的に保存するために利用される。なお、作業用メモリ７は、本実施例では外部圧縮伸張処理部６とは別に設けられているが、この他、外部圧縮伸張処理部６に内蔵される態様であっても構わない。
【００３０】
メモリカード８は、撮像した静止画像や動画像を記録保存するために利用する不揮発性の記憶装置である。なお、メモリカード８は、本画像処理装置１に内蔵されてもよいし、着脱自在な態様であっても構わない。
【００３１】
このように、画像処理装置１内部において、静止画像の撮像機能を実現する主処理部４とは別に、動画像の撮像機能を実現する外部圧縮伸張処理部６を追加することで、従来の回路や機能をそのまま利用しながら、容易に動画像撮像機能を追加することができる。また、このように、動画像データの圧縮伸張に係る処理を専用のハードウェアを利用して実現することで、ソフトウェアプログラムにより実現する場合に比べて高速な動作を実現することができる。
【００３２】
＜撮像時の動作＞
本発明の実施の形態に係る画像処理装置１を含むデジタルカメラで、動画像を撮像するときの動作を、図１を用いて以下に説明する。
【００３３】
動画像の撮像は、利用者の行うシャッターボタン（図示せず）の押下などの所定の操作により開始または停止される。
【００３４】
動画像の撮像開始が指示されると、撮像中の画像信号は撮像部２から、画像処理装置４のセレクタ９に入力される。セレクタ９は、撮像部２と外部圧縮伸張処理部６とに接続されているが、上述した利用者の所定の操作から、動画像の撮像開始が指示されたことを認識すると、撮像部２からの画像信号を選択し、セレクタ９の下流に出力する。セレクタ９を介して撮像部２からの画像信号を受けたＳＰＵ１０は、画像信号に対し、当該画像信号に含まれるＲＧＢ各色の情報を利用したホワイトバランスの調整などを施した後、これをＲＰＵ１１に出力する。ＲＰＵ１１では、さらに補間処理、ガンマ補正、偽色抑制、解像度変換といった処理を施した後、これを原画像データとして、主メモリ５内の原画像データバッファ領域１８に記録する。記録された原画像データは、画像表示ユニット１２へ送られる。なお、これら画像信号および原画像データの転送は、バス１５を介して、ＤＡＭ制御ユニット１６により制御されたＤＭＡ転送により高速に実行される。
【００３５】
画像表示ユニット１２は、原画像データを、ＩＴＵ−Ｒ６０１（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  Ｓｅｃｔｏｒ６０１）規格に基づいたＹＣｂＣｒ信号である内部信号に変換処理して出力する。出力された内部信号は、２方向に分岐され、テレビエンコードユニット１３と、外部圧縮伸張処理部６の圧縮処理ユニット２０の両方に送られる。
【００３６】
テレビエンコードユニット１３は、内部信号を、ＮＴＳＣ規格、またはＰＡＬ規格などに基づいたコンポジットビデオ信号に変換して出力する。そして、この信号は、さらにＤ／Ａ変換ユニット１４により、アナログ信号に変換され出力される。出力された信号は、表示装置部３において、液晶を利用したモニターディスプレイや電子ビューファインダーなどに画像として再現され表示される。利用者は、表示装置部３に表示される画像から、撮像部２が撮像している対象物を確認することができる。なお、主処理部４から出力される信号は、表示装置部３へ直接入力される態様に限らず、信号を画像として再現できれば、信号のまま取り出し、テレビ装置やディスプレイ装置などの外部装置に入力して画像を表示する態様などであっても構わない。
【００３７】
一方、画像表示ユニット１２から、画像圧縮伸張処理部６に出力された内部信号は、圧縮処理ユニット２０により圧縮変換され、その結果、ＭＰＥＧ４などの所定の形式の動画像データが生成される。このとき、処理過程で生じたデータの一時保管場所として、作業用メモリ７の一時記憶データバッファ領域２３が利用される。こうして、生成された動画像データは、主処理部４の外部ＤＭＡ制御ユニット１７が制御するバス１５を利用したＤＭＡ転送により、圧縮データ入出力ユニット２２から主メモリ５上の圧縮画像データバッファ領域１９に高速に転送される。そして、圧縮画像データバッファ領域１９上の動画像データは、メモリカードインターフェース（図示せず）などを介して、メモリカード８に記録保存される。なお、動画像データは、メモリカード８に記録保存される態様に限らず、動画像データを記録保存できれば、信号のまま取り出し、ハードディスクなどの外部記憶装置に記録保存される態様であっても構わない。
【００３８】
従来の技術では、図３，４に示したように、画像表示ユニット１２を介して、表示装置部で画像を表示する処理と、外部圧縮伸張処理部６で行う動画像生成に係る処理とは、別々に行われ、圧縮される前の原画像データは、２系統で同時に転送し処理されていた。このような方法では、転送によるバス１５への負荷も、処理に係る負荷も非常に大きく、画像処理装置１全体の処理能力を低下させる原因となっていた。しかし、本発明では、上述したように、原画像データは画像表示ユニット１２にのみ入力され、当該画像表示ユニット１２から出力される内部信号を２方向に分岐し、このうちの１方を外部圧縮伸張処理部６への入力信号として利用することでバス１５への負荷が軽減され、高速なデータ転送および圧縮変換処理を実現することができる。また、動画像撮像機能の追加に際し、画像表示ユニット１２からの信号の分岐と、外部ＤＭＡユニット１７の追加という変更のみを行うだけで、従来の静止画像処理に係る機能を有する主処理部４を動画像の撮像に利用することができる。これには、さらに、主処理部４の部品点数の増加、基板の増大化を抑制し、消費電力や製造コストの増大をも抑えるという効果がある。
【００３９】
＜記録動画像再生時の動作＞
本発明の実施の形態に係る画像処理装置１を含むデジタルカメラで、記録保存した動画像を読み出して再生するときの動作を、図２を用いて以下に説明する。
【００４０】
動画像の再生は、利用者の行う再生ボタン（図示せず）の押下などの所定の操作により開始または停止される。
【００４１】
動画像の再生開始が指示されると、メモリカード８に記録保存されていた動画像データは、主メモリ５上の、圧縮画像データバッファ領域１９に読み出される。そして、外部ＤＭＡ制御ユニット１７により、外部圧縮伸張処理部６の圧縮データ入出力ユニット２２に転送される。そして、この動画像データは、さらに伸張処理ユニット２１に転送される。伸張処理ユニット２１は、作業用メモリ７の一時記憶データバッファ領域２３を利用しながら、圧縮された動画像データを伸張した後、これを撮像部２が出力する画像データと等価な画像データに変換する。伸張と変換を施された動画像データは、画像処理部６のセレクタ９に入力される。セレクタ９は、撮像部２と外部圧縮伸張処理部６との両方に接続されているが、上述した利用者の所定の操作から、動画像の再生開始が指示されたことを認識すると、外部圧縮伸張処理部６からの動画像データを選択し、セレクタ９の下流に出力する。出力された動画像データは、伸張処理ユニット２１の処理によって撮像部２が出力するのと等価な画像データとなっているため、上述したようにＳＰＵ１０とＲＰＵ１１とによって画像処理を施された後、主メモリ５上の、原画像データバッファ領域１８に記録される。そして、記録された動画像データは、画像表示ユニット１２へ送られる。なお、これら動画像データおよび原画像データの転送は、バス１５を介して、ＤＡＭ制御ユニット１６により制御されたＤＭＡ転送により高速に実行される。
【００４２】
画像表示ユニット１２は、動画像データを、ＩＴＵ−Ｒ６０１（Ｉｎｔｅｒｎａｔｉｏｎａｌ  Ｔｅｌｅｃｏｍｍｕｎｉｃａｔｉｏｎ  Ｕｎｉｏｎ−Ｒａｄｉｏｃｏｍｍｕｎｉｃａｔｉｏｎ  Ｓｅｃｔｏｒ６０１）規格に基づいたＹＣｂＣｒ信号である内部信号に変換処理して出力する。出力された内部信号は、分岐され、テレビエンコードユニット１３と、外部圧縮伸張処理部６の圧縮処理ユニット１０の両方に送られる。ただし、動画像の再生を行うことが目的であるため、外部圧縮伸張処理部６へ出力された動画像データは利用されない。
【００４３】
テレビエンコードユニット１３は、内部信号を、ＮＴＳＣ規格、またはＰＡＬ規格などに基づいたコンポジットビデオ信号に変換して出力する。そして、この信号は、さらにＤ／Ａ変換ユニット１４により、アナログ信号に変換され出力される。出力された信号は、表示装置部３において、液晶を利用したモニターディスプレイや電子ビューファインダーなどで、動画像として再生される。このようにして、利用者は、記録保存していた動画像を再生し、確認することができる。なお、主処理部４から出力される信号は、表示装置部３へ直接入力される態様に限らず、信号を動画像として再生できれば、信号のまま取り出し、テレビ装置やディスプレイ装置などの外部装置に入力して画像を表示する態様などであっても構わない。
【００４４】
また、伸張処理ユニット２１から出力される動画像データが、主処理部４から、表示装置部３に出力される段階で、表示装置部３で利用可能な信号形式になっていれば、ＳＰＵ１０やＲＰＵ１１での信号処理を行わない態様であっても構わない。例えば、メモリカード８に記録保存されていた動画像データは、上述したように、既にＳＰＵ１０およびＲＰＵ１１により信号処理を施された後に記録されたデータである。よって、伸張処理を施された動画像データに、さらに、ＳＰＵ１０およびＲＰＵ１１による処理を行うことなく、伸張処理ユニット２１から出力された画像データをそのままの状態で、セレクタ９を介して、主メモリ５上の原画像デーバッファ１８に転送する態様であってもよい。具体的には、主処理部４が、動画像データの再生に係る処理であることを認識した場合、ＳＰＵ１０およびＲＰＵ１１では、信号処理を行うときのパラメータ設定を変更し、入力データと出力データの間で実質的な変化のない見かけの処理をするように設定すればよい。あるいは、さらに、ＳＰＵ１０から、ＲＰＵ１１を介さず、主メモリ５上の原画像データバッファ領域１８に、直接動画像データを転送するような態様であっても構わない。
【００４５】
このように、セレクタ９を利用して、記録保存した動画像データを、撮像部２が出力する画像データと同様に扱うことで、動画像データの処理や転送に係るハードウェアを新たに追加することなく、主処理部４のみを利用して、動画像の再生を行うことができる。また、主処理部４では、撮像部２からの画像信号と、外部圧縮伸張処理部６からの動画像データとを、同時に扱うことなく、常にいずれか一方のみを処理することになり、処理にかかる負荷が軽減されるとともに、消費電力を抑えられるという効果もある。
【００４６】
【発明の効果】
請求項１または請求項５に記載の発明によれば、撮像手段と、圧縮画像データとするを記憶する記憶手段と、記憶手段から読み込んだ圧縮画像データに伸張処理を行う伸張処理手段と、撮像手段より入力された撮影データと、伸張処理手段から入力された伸張画像データを入力し、いずれか一方のデータを選択的に出力する選択手段と、選択手段から入力されたデータに所定の処理を行う主処理手段と、を備えることで、動画像を撮像する際と再生する際とで同じ回路を利用することができ、さらに、別々に回路を動作させる場合に比べ、部品点数や消費電力を低く抑えることもできる。
【００４７】
請求項２または請求項６に記載の発明によれば、伸張処理手段または圧縮処理手段が、主処理手段に接続された別の専用チップに備えられることで、静止画像撮像機能しか持たない従来の回路を利用し、動画像撮像に係る専用チップを追加する小変更で動画像撮像機能を実現することができ、さらに、画像処理やデータ転送を、それぞれの専用チップで高速に行うことができる。
【００４８】
請求項３または請求項６に記載の発明によれば、伸張処理手段または圧縮処理手段と記憶手段との間のデータ転送を、主処理手段のＣＰＵを介することなく外部ＤＭＡ転送手段がＤＭＡ転送することで、データ転送を高速に行うことができる。
【００４９】
請求項４に記載の発明によれば、伸張処理手段が、撮影データと等価な伸張画像データを生成する手段、を備えることで、伸張した動画像を再生する場合でも、動画像を撮像する際と同じ処理回路を利用することができる。
【００５０】
請求項５に記載の発明によれば、記憶手段と、記憶手段から読み込んだ原画像データに所定の処理を行う主処理手段と、主処理手段から入力された画像データに圧縮処理を行う圧縮処理手段、を備え、主処理手段は、記憶手段から読み込んだ原画像データに対してモニタ表示用処理を施す表示処理手段と、表示処理手段の出力データを分岐し、その一方をモニタ表示用データとするとともに、他方の出力データを圧縮処理手段に対して出力する手段と、を備えることで、撮像時の原画像データの転送が一系統で済むことから、部品点数や消費電力を低く抑えることができ、さらに、デー画像処理やデータ転送に係る負荷の増大をも抑えることもできる。
【図面の簡単な説明】
【図１】この発明の一の実施の形態に係るデジタルカメラの構成と、動画像撮像時の信号の流れを示す概略図である。
【図２】この発明の一の実施の形態に係るデジタルカメラの構成と、動画像再生時の信号の流れを示す概略図である。
【図３】この発明の従来の技術に係るデジタルカメラの構成と、動画像撮像時の信号の流れを示す概略図である。
【図４】この発明の従来の技術に係るデジタルカメラの構成と、動画像撮像時の信号の流れを示す概略図である。
【符号の説明】
１  画像処理装置
２  撮像部
３  表示装置部
４  画像処理部
５  主メモリ
６  外部圧縮伸張処理部
７  作業用メモリ
８  メモリカード
９  セレクタ
１０  センサプロセッシングユニット（ＳＰＵ）
１１  リアルタイムプロセッシングユニット（ＲＰＵ）
１２  画像表示ユニット
１３  テレビエンコードユニット
１４  Ｄ／Ａ変換ユニット
１５  バス
１６  ＤＭＡ制御ユニット
１７  外部ＤＭＡ制御ユニット
１８  原画像データバッファ領域
１９  圧縮画像データバッファ領域
２０  圧縮処理ユニット
２１  伸張処理ユニット
２２  圧縮データ入出力ユニット
２３  一時記憶データバッファ領域
【図１】
2004282444.tif 000003
【図２】
2004282444.tif 000004
【図３】
2004282444.tif 000005
【図４】
2004282444.tif 000006